(57)【特許請求の範囲】
【請求項１】
トラクタにけん引され、上下振動が与えられる左右一対の掘り起こしせり上げ板と、該各掘り起しせり上げ板の後端部上方に設置された土ほぐし除去装置を備えた根菜類の掘り取り機において、
前記土ほぐし除去装置は、
前記トラクタの回転動力取り出し軸に連結されて水平方向に延びる回転軸の回転が回転方向変換機構を介して伝わり、前記回転軸と直交状態に所定の間隔に対向設置され、互いに逆方向に等速度で回転する垂直方向に延びる一対の回転軸と、
該各回転軸に取付け位置可変に、かつ着脱可能に取付けられた円板と、
該各円板の外周部近くに等間隔に垂下状態に取付けられた複数本の棒状部材と、
を備えたことを特徴とする根菜類の掘り取り機における土ほぐし除去装置。
【請求項２】
前記円板の外周部および複数の棒状部材の外周に根菜類への損傷付与防止用のゴム又は合成樹脂よりなる保護部材が被覆されている請求項１に記載の根菜類の掘り取り機における土ほぐし除去装置。
【請求項３】
前記円板に取付けられた複数本の棒状部材の下端に、前記円板と同一外径のリング部材が円板と平行に取付けられた請求項１に記載の根菜類の掘り取り機における土ほぐし除去装置。
【請求項４】
前記リング部材の外周に、根菜類への損傷付与防止用のゴム又は合成樹脂よりなる保護部材が被覆されている請求項３に記載の根菜類の掘り取り機における土ほぐし除去装置。
【発明の詳細な説明】
【０００１】
【発明の属する技術分野】
本発明は、トラクタでけん引してごぼう、大根等の根菜類を栽培土中から掘り起こし採取する根菜類の掘り取り機に関し、特に根菜類から栽培土を分離除去する土ほぐし除去装置に係る。
【０００２】
【従来の技術】
トラクターでけん引してごぼう、大根等の根菜類を栽培土中から掘り起こすには、従来例えば図１０に示すような掘り取り機が用いられている。図示しないトラクタによりけん引され、栽培土中の成育したごぼう１０６の茎葉は左右一対の輪刀１２４により切り取られ、支持アーム１３４に支持された掘り起こしせり上げ板１３６が畑の土を掘り進む。なお、支持アーム１３４と掘り起こしせり上げ板１３６は左右一対である。また、掘り起こしせり上げ板１３６は正面視逆ハの字状に対向し、後方が上方に傾斜している。よって、ごぼう１０６は畑の土もろとも上に押し上げられ、ごぼう１０６が掘り起こされることになる。
【０００３】
掘り起こされたごぼう１０６は、土のかたまりを除去すべく土ほぐしクリーナー１９０に送られる。トラクタの回転動力取り出し軸（以下、「ＰＴＯ」と記載する）の回転は回転軸２００を介して揺動運動変換機構２０２により土ほぐしクリーナー１９０に伝えられ、土ほぐしクリーナー１９０は前進方向に直交する面で揺動する。よって、土ほぐしクリーナー１９０によりごぼう１０６に付着する土のかたまりが払いのけられる。
【０００４】
また、ＰＴＯの回転は回転軸２００を介して上下振動運動変換機構２０１により昇降振動レバー２０３に伝えられ、掘り起こしせり上げ板１３６が上下に振動する。よって、掘り起こしせり上げ板１３６は土中を進みやすくなる。
【０００５】
そして、図示しない掘り起こしせり上げ板１３６の後端部上方に設置された挾持搬送チェーンにより首部の土が除去されたごぼうは後方に送り出される。
【０００６】
【発明が解決しようとする課題】
土ほぐしクリーナー１９０はごぼう１０６の付近の土のかたまりを払いのけるものである。ごぼう１０６は、土と共に押し上げられ何ら固定されているわけではない。すると、硬質の土を棒状部材１９２で払いのけた時には、ごぼう１０６に付着した土もろとも、ごぼう１０６が傾くなどして動くことがある。よって、ごぼう１０６に付着する土のかたまりを充分に払いのけられないという問題がある。ごぼう１０６に土のかたまりが付着したままであると、わずかな衝撃により折れ易くなり、極めて扱いにくい。
【０００７】
そこで、本発明は、トラクタでけん引してごぼう、大根等の根菜類を栽培土中から掘り起こし採取する根菜類の掘り取り機の土ほぐし除去装置により、硬質の土をであっても根菜類から栽培土を充分に分離除去することを目的とする。
【０００８】
【課題を解決するための手段】
請求項１に記載の発明は、トラクタにけん引され、上下振動が与えられる左右一対の掘り起しせり上げ板と、該各掘り起しせり上げ板の後端部上方に設置された土ほぐし除去装置を備えた根菜類の掘り取り機において、前記土ほぐし除去装置は、前記トラクタの回転動力取り出し軸に連結されて水平方向に延びる回転軸の回転が回転方向変換機構を介して伝わり、前記回転軸と直交状態に所定の間隔に対向設置され、互いに逆方向に等速度で回転する垂直方向に延びる一対の回転軸と、該各回転軸に取付け位置可変に、かつ着脱可能に取付けられた円板と、該各円板の外周部近くに等間隔に垂下状態に取付けられた複数本の棒状部材と、を備えたことを特徴とする。
【０００９】
請求項２に記載の発明は、請求項１に記載の根菜類の掘り取り機における土ほぐし除去装置において、前記円板の外周部および複数の棒状部材の外周に根菜類への損傷付与防止用のゴム又は合成樹脂よりなる保護部材が被覆されていることを特徴とする。
【００１０】
請求項３に記載の発明は、請求項１に記載の根菜類の掘り取り機における土ほぐし除去装置において、前記円板に取付けられた複数本の棒状部材の下端に、前記円板と同一外径のリング部材が円板と平行に取付けられていることを特徴とする。
【００１１】
請求項４に記載の発明は、請求項３に記載の根菜類の掘り取り機における土ほぐし除去装置において、前記リング部材の外周に、根菜類への損傷付与防止用のゴム又は合成樹脂よりなる保護部材が被覆されていることを特徴とする。
【００１２】
すなわち、本発明によれば、以下のようにして、土のかたまりが付着している根菜類から土のかたまりが除去される。まず、掘り起こしせり上げ板により、根菜類は土のかたまりが付着したまま、土ほぐし除去装置に送り込まれる。トラクタの回転動力取り出し軸から伝えられる回転により、一対の回転軸は回転しており、それに伴い一対の円板が逆方向に回転し、棒状部材の回動により、土のかたまりをかきとる。
【００１３】
よって、土のかたまりが除去される。
【００１４】
しかも、根菜類は、棒状部材により、付着した土のかたまりごと挟圧されることになり、根菜類は土のかたまりごと傾くようなことはなく、充分に土がかきとれる。また、挟圧されることにより、粘土質および硬い土のかたまりが棒状部材により破砕されるため、効果的に土が除去される。
【００１５】
また、円板や棒状部材の外周に保護部材を被覆することで、根菜類が円板、棒情部材により損傷することを防止できる。
【００１６】
さらに、根菜類は、土ほぐし除去装置に送り込まれる時に、傾いていることがある。根菜類の傾きが大きいと、棒状部材に根菜類が衝突して折損することがある。そこで、円板と平行なリング部材により、根菜類の傾きを直す。よって、土のかたまりがかきおとしやすく、根菜類の衝突による折損が防止される。
【００１７】
さらにまた、リング部材の外周に保護部材を被覆することで、根菜類がリング部材により損傷することを防止できる。
【００１８】
【発明の実施の形態】
以下、本発明の実施の形態を図面を参照して説明する。図１は、本発明の第１の実施形態にかかる根菜類の掘り取り機における土ほぐし除去装置の斜視図である。図２は、その平面図である。以下、この土ほぐし除去装置の構成を説明する。トラクタのＰＴＯに直結され、トラクタに連結された左右一対のメインフレーム８０ａ、８０ｂに平行な軸１０がある。スプロケット１２が軸１０を回転軸として回転できる。スプロケット１６はスプロケット１２から見て、メインフレーム８０ａ、８０ｂの長手方向と直交する方向に、スプロケット１２より内側に配置されている。スプロケット１２とスプロケット１６の間にチェーン１４が張られている。スプロケット１６の軸１８は軸受２０ａおよび２０ｂにより支持され、軸１８の他端にはスプロケット２２が取り付けられている。
【００１９】
スプロケット２６はスプロケット２２から見て、メインフレーム８０ａ、８０ｂの長手方向と直交する方向に、スプロケット２２より外側に配置されている。スプロケット２２とスプロケット２６にはチェーン２４が張られている。スプロケット２６の回転軸２７の一端にはかさ歯車２８が取り付けられており、かさ歯車３０とかみ合っている。なお、かさ歯車３０の回転軸３２は回転軸２７と直交して上下に延びており、その上方の先端にはスプロケット３４が取り付けられている。なお、回転軸２７、回転軸３２はメインフレーム８０ｂの後部に取付けられたフレーム６０ｂに取り付けられている。
【００２０】
メインフレーム８０ａの後部に取付けられたフレーム６０ａにはスプロケット３４とほぼ向かい合わせに同じ高さにスプロケット３７が設けられている。スプロケット３４とスプロケット３７の間にはチェーン３５が張られている。スプロケット３６ａ、３６ｂは、スプロケット３４とスプロケット３７の間に向かい合わせに位置している。チェーン３５はスプロケット３６ａ、３６ｂにたすきがけ状に接触している。スプロケット３６ａ、３６ｂは回転軸３８ａ、３８ｂの上側の端部に取り付けられている。回転軸３８ａ、３８ｂは、フレーム６０ａ、６０ｂの上下に延び支持されている。回転軸３８ａ、３８ｂの下側の端部に、円板４０ａ、４０ｂがボルト４６により取り付け位置可変にかつ着脱可能に取り付けられている。
【００２１】
円板４０ａ、４０ｂは同一直径であり、周辺部に複数の丸棒である棒状部材４２a、４２ｂが等間隔に設けられている。なお、円板４０ａ、４０ｂは棒状部材４２ａ、４２ｂの外周に、ごぼう９０を傷つけないように、ゴム又は合成繊維よりなる保護部材が被覆されている。
【００２２】
次に、この根菜類掘り取り装置の作用を説明する。図３に掘り起こしせり上げ板７０ａ、７０ｂによるごぼう９０の掘り取り時の装置の側面を示す。掘り起こしせり上げ板７０ａ、７０ｂが前進すると、掘り起こしせり上げ板７０ａ、７０ｂは従来技術同様に図４に示すように正面視逆ハの字状になっており、ごぼう９０は土ごと掘り起こされ、土ほぐし除去装置の円板４０ａ、４０ｂの方へ追いやられる。なお、ごぼう９０が掘り起こされて、円板４０ａ、４０ｂの方へ向かう動作は、図１において、点線矢印にて示してある。また、軸１８の回転は上下振動運動変換機構５２（図１０に示す従来の上下振動運動変換機構２０１と同じ）を介して昇降振動レバー４８に伝えられ、掘り起こしせり上げ板７０が上下に振動する。
【００２３】
ごぼう９０は土のかたまり９２が付着した状態で円板４０ａ、４０ｂの方へ送り込まれる。棒状部材４２ａ、４２ｂは、以下のようにして、動かされる。ＰＴＯから動力が軸１０に伝えられると軸１０が回転し、スプロケット１２、チェーン１４、スプロケット１６を介して、軸１８が回転する。軸１８が回転すれば、スプロケット２２、チェーン２４、スプロケット２６を介して、かさ歯車２８が回転する。かさ歯車２８が回転すれば、かさ歯車３０が回転し、回転方向（回転面の法線ベクトルの方向をいう）が水平方向から上下方向に変換される。そして、スプロケット３４が回転すれば、チェーン３５を介して、スプロケット３６ａ、３６ｂが回転する。チェーン３５は、スプロケット３６ａ、３６ｂにたすきがけされているため、スプロケット３６ａ、３６ｂは逆方向に回転する。しかも、スプロケット３６ａ、３６ｂは直径が等しいため、回転速度は等しくなる。なお、回転方向の変換には、第１実施形態のようにかさ歯車を使ってもよいし、あるいは、ウォームとウォームギヤを用いてもよい。
【００２４】
図５は、ごぼう９０から土のかたまり９２がかきとられる状態の土ほぐし除去装置の背面図である。図６は、ごぼう９０から土のかたまり９２がかきとられる状態の円板４０ａ、４０ｂ付近の平面図である。円板４０ａ、４０ｂの間にごぼう９０が送り込まれると、棒状部材４２ａと４２ｂが向かい合い、ごぼう９０の周囲の土を挟圧して、土のかたまり９２が硬質の場合でも破砕してかきとる。なお、棒状部材４２と４４が等間隔に配置され、しかもスプロケット３６ａ、３６ｂは同じ回転速度で反対方向に回転するため、棒状部材４２と４４は円板４０ａ、４０ｂとの間隔が最も小さい部分で向かい合い、土を押圧破砕することになる。そして、ごぼう９０は、図示を省略した従来技術同様の構成で、チェーン搬送される。
【００２５】
第１の実施形態の土ほぐし除去装置によれば、棒状部材４２ａと４２ｂが向かい合い、ごぼう９０を土のかたまり９２ごと挟圧するため、ごぼう９０は土もろとも傾いたりせずにしっかりと保持され、充分に土のかたまり９２をかきとることができ、粘土質および硬い土のかたまりが棒状部材により破砕されるため、効果的に土が除去される。
【００２６】
図７は、本発明の第２の実施形態にかかる土ほぐし除去装置の斜視図である。図８は、この土ほぐし除去装置の背面図である。この装置では、棒状部材４２ａと４２ｂの下端にリング部材５０ａ、５０ｂが、円板４０ａ、４０ｂと平行に、設けられていることが第１の実施形態と異なる。なお、リング部材５０ａ、５０ｂも円板４０ａ、４０ｂと同様に、ごぼう９０を傷つけないように、ゴム又は合成樹脂等の保護部材で被覆される。
【００２７】
次に、この土ほぐし除去装置の作用を示す。図９（ａ）のように、リング部材５０ａ、５０ｂがなければ、ごぼう９０が傾いて進入し、その傾きが大きい場合には棒状部材４２ａ、４２ｂでごぼう９０を切断することがある。そこで、図９（ｂ）のように、リング部材５０ａ、５０ｂにより、ごぼう９０の傾きを直し、棒状部材４２ａ、４２ｂ、リング部材５０ａ、５０ｂによって土を挟圧破砕してほぐし除去する。
【００２８】
なお、リング部材５０ａ、５０ｂは円板４０ａ、４０ｂに向かい合わせに１個づつ設けられているが、円板４０ａに平行に複数のリング部材を設け、円板４０ｂに平行に複数のリング部材を設けることも可能である。
【００２９】
【発明の効果】
本発明によれば、根菜類は、所定間隔で対向し回転する１組の棒状部材により、付着した土のかたまりごと挟圧されることになり、粘土質および硬い土のかたまりが棒状部材により破砕されるため、効果的に土がほぐされ除去される。
【００３０】
さらに、円板と平行なリング部材により、根菜類の傾きを直すため、根菜類への衝突による折損を防止しながら土を挟圧破砕して根菜類より分離することができる。
【図面の簡単な説明】
【図１】本発明の第１の実施形態にかかる根菜類の掘り取り機における土ほぐし除去装置の斜視図である。
【図２】本発明の第１の実施形態にかかる土ほぐし除去装置の平面図である。
【図３】本発明の第１の実施形態にかかる土ほぐし除去装置の側面図である。
【図４】本発明の第１の実施形態にかかる土ほぐし除去装置の掘り起こしせり上げ板付近の正面図である。
【図５】本発明の第１の実施形態にかかる土ほぐし除去装置の背面図である。
【図６】本発明の第１の実施形態にかかる土ほぐし除去装置の部分平面図である。
【図７】本発明の第２の実施形態にかかる土ほぐし除去装置の斜視図である。
【図８】本発明の第２の実施形態にかかる土ほぐし除去装置の背面図である。
【図９】本発明の実施形態にかかる土ほぐし除去装置の部分背面図である。
【図１０】従来技術にかかる土ほぐし除去装置の概要側面図である。
【符号の説明】
１０  軸
１２  スプロケット
１４  チェーン
１６  スプロケット
１８  軸
２０ａ  軸受
２０ｂ  軸受
２２  スプロケット
２４  チェーン
２６  スプロケット
２７  回転軸
２８  かさ歯車
３０  かさ歯車
３２  回転軸
３４  スプロケット
３５  チェーン
３６ａ、３６ｂ  スプロケット
３７  スプロケット
３８ａ、３８ｂ  回転軸
４０ａ、４０ｂ  円板
４２ａ、ｂ  棒状部材
４６  ボルト
４８  昇降振動レバー
５０ａ、５０ｂ  リング部材
５２  上下振動運動変換機構
６０ａ、６０ｂ  フレーム
７０ａ、７０ｂ  掘り起こしせり上げ板
８０ａ、８０ｂ  メインフレーム
９０  ごぼう
９２  土のかたまり
【図１】
0003699856.tif 000002
【図２】
0003699856.tif 000003
【図３】
0003699856.tif 000004
【図４】
0003699856.tif 000005
【図５】
0003699856.tif 000006
【図６】
0003699856.tif 000007
【図７】
0003699856.tif 000008
【図８】
0003699856.tif 000009
【図９】
0003699856.tif 000010
【図１０】
0003699856.tif 000011